(57)【特許請求の範囲】
【請求項１】
表基布４と裏基布５とからなる二重織物１の表基布４と裏基布５に面ファスナーの係合素子６を形成する係合素子用糸７を織り込み、織成面の表面へ係合素子６が突出する形に植設し、表基布４と裏基布５との間に表基布４と裏基布５を形成する経糸２、緯糸３および係合素子用糸７よりも融点が低い熱溶融糸８を織り込み、加熱溶融して表基布４と裏基布５とを一体に溶着したことを特徴とする面ファスナー。
【請求項２】
二重織物１は、袋織組織から形成し、熱溶融糸８を袋織組織内の縦方向に配してなる請求項１記載の面ファスナー。
【請求項３】
二重織物１は、接結された経緯二重織組織から形成し、熱溶融糸８を表基布４と裏基布５との間に配してなる請求項１記載の面ファスナー。
【請求項４】
二重織物１の表基布４と裏基布５とを縦方向に配した接結糸９で接結し、該接結糸９は縦方向に織り込まれる係合素子用糸７間に配してなる請求項１記載の面ファスナー。
【請求項５】
表基布４と裏基布５とを接結する接結糸９は、縦方向に一定間隔をおいて表基布４と裏基布５間を接結してなる請求項４記載の面ファスナー。
【請求項６】
係合素子用糸７を二重織物１の表基布４に織り込み、表面へ係合素子６が突出する形で植設してなる請求項１記載の面ファスナー。
【請求項７】
係合素子用糸７を二重織物１の裏基布５に織り込み、係合素子６が表基布４上へ突出する形で植設してなる請求項１記載の面ファスナー。
【請求項８】
係合素子用糸７を二重織物１の表基布４と裏基布５とに織り込み、係合素子６がそれぞれ外向状に植設してなる請求項６または７記載の面ファスナー。
【発明の詳細な説明】
【０００１】
【発明の属する技術分野】
この発明は、基布の裏面に熱可塑性樹脂によるバックコーティングを施す必要のない、基布から形成された安定した形態の面ファスナーに関するものである。
【０００２】
【従来の技術】
従来、面ファスナーにおいて係合素子用糸を経糸、緯糸で織成した基布に織り込んで、係合素子用糸を基布に強固に固定して頑丈な面ファスナーに仕上げるため、基布の裏面全体にポリエステル系樹脂やポリウレタン系樹脂などの樹脂を塗布して係合素子用糸を固定する、いわゆるバックコーティング方式を施すことが知られている。たとえば特開平１１−２４４０１０号公報に開示されている。
【０００３】
さらに図１１に示すように面ファスナーの基布を二重織組織で織成し、表基布と裏基布との間にポリエステル系樹脂、ポリアミド系樹脂、ポリアクリル系樹脂、ポリウレタン系樹脂などを含浸させ、あるいは溶融樹脂を二重織物の裏基布にコーティングして、適宜手段によって加圧することにより、溶融樹脂を表基布に含浸させ、加熱硬化させて厚手の基布を形成した面ファスナーが特開平７−２８９３１２号公報に開示されている。
【０００４】
【発明が解決しようとする課題】
前項で述べたバックコーティングを施す面ファスナーは、織成した基布の裏面全体にポリエステル系樹脂やポリウレタン系樹脂などの樹脂を塗布するバックコーティングを施すため、面ファスナーの基布裏面は強張って肌触りが悪いという問題点がある。
【０００５】
さらに、図１１に示す面ファスナーは、表基布と裏基布とからなる二重織組織の裏基布から溶融樹脂液を含浸させて加圧し、樹脂液を表基布に含浸させるため裏基布の織密度を粗く織成するが、それでも樹脂液を十分に表基布まで浸透させることが難しく、表基布と裏基布とを強固に一体化させ品質のよい面ファスナーに仕上げることが難しい。また溶融樹脂液を含浸させ加熱硬化させる加工工程が必要とするため、生産上からも長時間を要し、面倒な加工を施さねばならないなど問題点がある。
【０００６】
この発明は、上述の問題点を考慮して発明されたものであり、この発明のうち請求項１記載の発明は、二重織物からなる面ファスナーにおいて、表基布と裏基布とを簡単な構成で両基布の対向面において強固に一体化するとともに、係合素子の根元あるいは幹部を固定することができ、肌触りのよい優れた品質の面ファスナーに仕上げることができ、また面ファスナーの作製が従来品に比して、きわめて簡易にできる二重織組織から形成された面ファスナーを提供することが主たる目的である。
【０００７】
請求項２および３記載の発明は、それぞれ請求項１記載の発明の目的に加え、各種の二重織物に簡単に適用でき、面ファスナーの作製が容易で品質のよい二重織組織の面ファスナーを提供することが目的である。
【０００８】
請求項４および５記載の発明は、請求項１記載の発明の目的に加え、二重織物内に配した熱溶融糸が安定した状態で保持でき、表基布と裏基布とを強固に溶着することができ、しかも表基布と裏基布とは接結糸によって強固に固定でき、品質の優れた面ファスナーを提供することが目的である。
【０００９】
請求項６、７および８記載の発明は、請求項１記載の発明の目的に加え、係合素子用糸を二重織物の表基布または裏基布の一方、あるいは両方に配し、面ファスナーの表面へ突出する形に係合素子を植設し、係合素子の根元あるいは幹部を強固に固定した品質のよい面ファスナーを提供することが目的である。
【００１０】
【課題を解決するための手段】
前記の目的を達成するため、この発明のうち請求項１記載の発明は、表基布４と裏基布５とからなる二重織物１において、表基布４または裏基布５に面ファスナーのループまたはフックの係合素子６を形成するための係合素子用糸７を織り込み、織成面の表面へループ係合素子６またはフック係合素子６が突出する形に植設し、この表基布４と裏基布５との間に表基布４と裏基布５を形成する経糸２、緯糸３および係合素子用糸７よりも融点が低い熱溶融糸８が挿通され介在する形に織り込み、この熱溶融糸８を加熱溶融して表基布４と裏基布５とを内側面で一体に溶着するとともに、係合素子６を固定した面ファスナーを主な構成とするものである。
【００１１】
請求項２記載の発明は、請求項１記載の発明の構成に加え、二重織物１は、袋織組織から形成し、熱溶融糸８を袋織組織内に挿通し介在する形で縦方向に配した面ファスナーである。
【００１２】
請求項３記載の発明は、請求項１記載の発明の構成に加え、二重織物１は、表基布４と裏基布５とが接結された経緯二重織組織から形成し、熱溶融糸を二重織組織の表基布４と裏基布５との間に挿通し介在する形で配設した面ファスナーである。
【００１３】
請求項４記載の発明は、請求項１記載の発明の構成に加え、二重織物１の表基布４と裏基布５とを面ファスナーの縦方向に配した接結糸９によって接結し、この接結糸９は表基布４と裏基布５の縦方向に織り込まれる係合素子用糸７の間に存在する形に配された面ファスナーである。
【００１４】
請求項５記載の発明は、請求項４記載の発明の構成に加え、二重織物１の表基布４と裏基布５とを接結する接結糸９は、表基布４と裏基布５の縦方向に一定間隔をおいて基布４、５間を接結した面ファスナーである。
【００１５】
請求項６記載の発明は、請求項１記載の発明の構成に加え、係合素子６を形成する係合素子用糸７を二重織物１の表基布４に織り込み、係合素子６が表基布４の表面へ突出する形に植設した面ファスナーである。
【００１６】
請求項７記載の発明は、請求項１記載の発明の構成に加え、係合素子６を形成する係合素子用糸７を二重織物１の裏基布５に織り込み、係合素子６が裏基布５でなく表基布４の表面へ突出する形に植設した面ファスナーである。
【００１７】
請求項８記載の発明は、請求項６または７記載の発明の構成に加え、係合素子６を形成する係合素子用糸７を二重織物１の表基布４と裏基布５の双方に織り込み、係合素子６が表基布４の表面、また裏基布５の表面へそれぞれ突出する形に植設した面ファスナーである。
【００１８】
【発明の実施の形態】
以下、この発明の面ファスナーの実施の形態について、図面を参照しながら具体的に説明する。
【００１９】
この発明の面ファスナーは、図面に示すように二重織組織の織物１で、経糸２と緯糸３とによって織成された表基布４と裏基布５とから形成され、表基布４、裏基布５の一方または両方に、面ファスナーの係合素子６を形成するための係合素子用糸７が織り込まれ、二重織物１はニードル織機によって織成するのが好ましい。
【００２０】
また、二重織物１としては、表基布４、裏基布５がそれぞれ個別に配された経糸２と、表基布４と裏基布５の端部で反転を繰り返す共通の緯糸３とで構成される袋織組織の場合と、表基布４、裏基布５がそれぞれ個別に配された経糸２と緯糸３とで構成される経緯二重組織の場合とが考えられる。
【００２１】
なお、図面において、特に理解の便を図って、各種の緯糸、経糸を相対的に細く示し、また織組織構造を粗くしているが、実際には面ファスナーとしての機能を考慮し、各種の緯糸、経糸は所要の太さの糸条を使用し、また織組織構造も緻密な状態にあり、面ファスナーとしての機能を発揮し得る構造となっている。
【００２２】
図１、２に示す面ファスナーは、ポリアミド系、ポリエステル系またはポリプロピレン系の合成繊維の経糸２と同じく同種の合成繊維のダブルピックの緯糸３とによって二重織物１の表基布４と裏基布５とを織成し、その際面ファスナーの係合素子６を形成するための係合素子用糸７が表基布４に織り込まれている。この係合素子用糸７はループ状係合素子６を作製する場合は、ポリアミド系またはポリエステル系あるいはポリプロピレン系などの合成繊維のマルチフィラメントを織り込んで形成し、その後においてナッピングまたはブラッシングしてループ状係合素子６を形成する。またフック状係合素子６を作製する場合は、前記合成繊維のモノフィラメントを織り込んで形成し、後にループ状の一側をカットしてフック状係合素子６を形成する。
【００２３】
具体的な織成形態は、表基布４、裏基布５はともに経糸２、ダブルピックの緯糸３とによって平織組織で織られ、この平織組織に係合素子用糸６を織り込むが、係合素子用糸７は１本の経糸２を数ピックおきに左右に跨いでループ状に織り込み、表面に係合素子６のループ部分が突出する形に形成する。なお表基布４および裏基布５は平織組織とは限らず他の織組織で織成しても差し支えない。
【００２４】
この発明の面ファスナーの特徴は、上記のように織成された二重織物１の表基布４と裏基布５との間に表基布４と裏基布５を形成する経糸２、緯糸３および係合素子用糸７の合成繊維よりも融点が低い合成繊維の熱溶融糸８が挿通し介在する形で織り込んでいる。特に、熱溶融糸８が係合素子用糸７へ隣接して織成する方が、係合素子用糸７を表基布４と裏基布５へ固定するのに有利である。たとえば表基布４と裏基布５を形成する経糸２、緯糸３および係合素子用糸７にポリアミド系のナイロン６６繊維を用い、熱溶融糸８にナイロン６繊維を用いて織成し、織成後において熱溶融糸８を加熱溶融することにより、表基布４と裏基布５とを内側面において一体に溶着するとともに、その溶融部分の一部が、係合素子６の根元の内側面に付着して根元を表基布４と裏基布５へ強固に固定する。熱溶融糸８としては、他に熱溶融点の低い合成繊維であるポリアミド共重合体やポリエステル共重合体などの合成繊維を用いてもよく、これらの熱溶融糸８を溶融して表基布４と裏基布５とを溶着しても、極度に樹脂が表面へ滲透することがなく、肌触りのよい面ファスナーに仕上げることができる。
【００２５】
なお、熱溶融糸８の太さは任意であるが、表基布４と裏基布５を形成する経糸２、緯糸３および係合素子用糸７よりも太い合成繊維を用いるのが、加熱溶融する面からは好都合である。
【００２６】
図３、４に示す面ファスナーは、前例と同様にポリアミド系、ポリエステル系、ポリプロピレン系の合成繊維の経糸２と同じ合成繊維のダブルピックの緯糸３とによって、二重織物１の表基布４と裏基布５とを平織組織で織成し、ループ状係合素子６またはフック状係合素子６を形成するための係合素子用糸７を裏基布５に織り込む。係合素子用糸７は経糸２、緯糸３と同じ合成繊維を用い、裏基布５の１本の経糸２を数ピックおきに左右に交互に跨ぎ、同時にループ部分は表基布４の表面に突出する形に織られて係合素子６を形成する。
【００２７】
この面ファスナーも二重織物１の表基布４と裏基布５との間に、表基布４と裏基布５を形成する合成繊維の経糸２、緯糸３および係合素子用糸７の合成繊維よりも融点が低い合成繊維の熱溶融糸８、たとえば経糸２、緯糸３および係合素子用糸７にポリアミド系のナイロン６６繊維を用い、熱溶融糸８にナイロン６繊維を用いるなどして熱溶融糸８が挿通され介在する形で織り込み、織成後において熱溶融糸８を加熱溶融することにより、表基布４と裏基布５とを内側面において一体に溶着するとともに、その溶融部分の一部が係合素子６の根元および幹部分に付着して表基布４と裏基布５とに強固に固定し頑丈な面ファスナーに仕上げるとともに、肌触りのよい面ファスナーに仕上げる。
【００２８】
図５に示す面ファスナーは、前例と同様にポリアミド系、ポリエステル系、ポリプロピレン系の合成繊維の経糸２と同じ合成繊維のダブルピックの緯糸３とによって、二重織物１の表基布４と裏基布５とを平織組織で織成し、ループ状係合素子６またはフック状係合素子６を形成する係合素子用糸７を、表基布４および裏基布５の双方に織り込み、係合素子用糸７は経糸２、緯糸３と同じ合成繊維を用い、それぞれ表基布４と裏基布５の１本の経糸２を数ピックおきに左右に交互に跨ぎ、ループ部分は表基布４と裏基布５の双方の表面に突出する形に織られて係合素子６を形成する。
【００２９】
この面ファスナーも二重織物１の表基布４と裏基布５との間に表基布４と裏基布５を形成する合成繊維の経糸２、緯糸３および係合素子用糸７の合成繊維よりも融点が低い合成繊維を熱溶融糸８として用い、表基布４と裏基布５との間に挿通させて介在する形に織成し、織成後において熱溶融糸８を加熱溶融して表基布４と裏基布５とを内側面で一体に溶着するとともに、その溶融部分の一部が係合素子６の根元に付着して表基布４と裏基布５とに強固に固定し頑丈な面ファスナーに仕上げる。
【００３０】
なお、係合素子用糸７を表基布４と裏基布５とに織り込み、表基布４に織り込んだ係合素子用糸７は裏基布５の表面へループ部分が突出して係合素子６を形成し、裏基布５に織り込んだ係合素子用糸７は表基布４の表面へループ部分が突出して係合素子６を形成することも可能であり、この形態の面ファスナーであっても熱溶融糸８の溶融部分が係合素子６の根元および幹部を強固に固定し、係合素子６を両面に形成した頑丈な面ファスナーに仕上げることもできる。
【００３１】
次に図６、７に示す面ファスナーは、ポリアミド系、ポリエステル系、ポリプロピレン系の合成繊維の経糸２およびダブルピックの緯糸３とによって、二重織物１の表基布４と裏基布５とを平織組織で織成し、ループ状係合素子６またはフック状係合素子６を形成する係合素子用糸７に同種の合成繊維を用いて表基布４に織り込む。この係合素子用糸７の織成形態は前例と同様に係合素子用糸７が表基布４の１本の経糸２を数ピックおきに左右に交互に跨ぐ状態で織り込み、係合素子６が表基布４の表面へ突出する形に形成すると同時に、係合素子用糸７が縦方向に配された中間に、１本の縦方向に延びる前記の合成繊維と同種の接結糸９を配して、表基布４のダブルピックの緯糸３を接結糸９の下側へ迂回させ、裏基布５のダブルピックの緯糸３は接結糸９の上側へ迂回して表基布４と裏基布５とを接結する形で織成する。
【００３２】
そして織成に際して二重織物１の表基布４と裏基布５との間に表基布４と裏基布５を形成する経糸２、緯糸３および係合素子用糸７の合成繊維よりも融点が低い合成繊維からなる熱溶融糸８、たとえば経糸２、緯糸３および係合素子用糸７にナイロン６６繊維、熱溶融糸８にナイロン６繊維を用いるなどして熱溶融糸８が縦方向に挿通され介在する形で織り込まれ、織成後にこの熱溶融糸８を加熱溶融して表基布４と裏基布５とを内側面において一体に溶着するとともに、その溶融部分の一部が係合素子６の根元に付着して表基布４と裏基布５とに強固に固定する。この形態の面ファスナーは二重織物１に織り込まれた接結糸９によって、熱溶融糸８を的確に保持し、左右にずれるのを防ぎ安定した溶着が実現でき、頑丈な面ファスナーに仕上げることができる。
【００３３】
図８、９に示す面ファスナーは、前例と同様にポリアミド系、ポリエステル系、ポリプロピレン系合成繊維の経糸２と同じく同種の合成繊維のダブルピックの緯糸３とによって、二重織物１の表基布４と裏基布５とを平織組織で織成し、ループ状係合素子６またはフック状係合素子６を形成する係合素子用糸７に同種の合成繊維を用いて裏基布５に織り込む。
【００３４】
係合素子用糸７は裏基布５の１本の経糸２を数ピックおきに左右に交互に跨ぐ状態で織り込み、ループ部分は表基布４の表面に突出する形に織成して係合素子６を形成する。同時に係合素子用糸７が配設された中間に１本の縦方向に延びる合成繊維の接結糸９を配して表基布４のダブルピックの緯糸３を接結糸９の下側へ迂回させ、裏基布５のダブルピックの緯糸３は接結糸９の上側へ迂回させて表基布４と裏基布５とを接結する形に織成する。
【００３５】
そして織成に際して二重織物１の表基布４と裏基布５との間に表基布４と裏基布５を形成する経糸２、緯糸３および係合素子用糸７の合成繊維よりも融点が低い合成繊維からなる熱溶融糸８、たとえば経糸２、緯糸３および係合素子用糸７にナイロン６６繊維、熱溶融糸８にナイロン６繊維などを用いて、熱溶融糸８を縦方向に挿通されて介在する形で織り込み、織成後にこの熱溶融糸８を加熱溶融して表基布４と裏基布５とを内側面において一体に溶着する。
【００３６】
この形態の面ファスナーにおいても、二重織物１が接結糸９によって熱溶融糸８を的確に保持し、左右にずれることがなく安定した溶着が実現でき、係合素子６は根元および幹部分に、熱溶融糸８の溶融部分が付着して表基布４と裏基布５とに強固に固定し頑丈な面ファスナーに仕上げるとともに、肌触りのよい面ファスナーに仕上げることができる。
【００３７】
最後に図１０に示す面ファスナーは、二重織物１の表基布４と裏基布５とを接結する形態の変形例を示したものであり、ポリアミド系、ポリエステル系、ポリプロピレン系の合成繊維の経糸２と同じく同種のダブルピックの緯糸３とによって、二重織物１の表基布４と裏基布５とを織成し、この織成において合成繊維から形成した係合素子用糸７を表基布４に織り込み、係合素子用糸７は１本の経糸２を数ピックおきに左右に交互に跨いでループ状に織り込み、表基布４の表面へループ部分が突出する係合素子６を形成する。
【００３８】
二重織物１の表基布４と裏基布５との間には、表基布４と裏基布５を形成する経糸２、緯糸３および係合素子用糸７の合成繊維の融点よりも低い合成繊維の熱溶融糸８を縦方向に挿通させて介在する形で織り込み、同時に縦方向に織り込まれた各係合素子用糸７の間に縦方向に数ピックおきに裏基布５のダブルピックの緯糸３に交錯させて接結する接結糸９を配することによって、表基布４と裏基布５との間に挿通されて介在する数本の熱溶融糸８の横ずれを防ぎ安定した状態を保持して熱溶融糸８の溶融ができ、表基布４と裏基布５および係合素子６の根元とを強固に溶着させ頑丈な面ファスナーに仕上げることができる。
【００３９】
なお、上述した表基布４と裏基布５とを接結糸９で接結するタイプの二重織物１においても、係合素子６を表基布４と裏基布５との両方に設けることが勿論可能である。
【００４０】
【発明の効果】
この発明の面ファスナーは、以上説明したとおりの構成であり、この構成によって下記の効果を奏する。
【００４１】
この発明のうち請求項１記載の発明は、表基布と裏基布とからなる二重織物の基布に面ファスナーの係合素子を形成する係合素子用糸を織り込み、織成面の表面へ係合素子が突出する形に植設し、表基布と裏基布との間に表基布４と裏基布５を形成する経糸、緯糸および係合素子用糸よりも融点が低い熱溶融糸を織り込み、加熱溶融して表基布と裏基布とを一体に溶着したことによって、表基布と裏基布とを熱溶融糸により強固に溶着するとともに、その溶融部分の一部が係合素子の根元、あるいは幹部分に付着して係合素子を表基布と裏基布に強固に固定することができる。また表基布、裏基布の表面は樹脂がコーティングされていないから肌触りがよく品質のよい面ファスナーに仕上げることができ、さらに厚手の面ファスナーをきわめて簡易な手段によって作製できる効果がある。
【００４２】
請求項２記載の発明は、請求項１記載の発明の効果に加え、二重織物は、袋織組織から形成し、熱溶融糸を袋織組織内の縦方向に配したことによって、表基布と裏基布が袋織組織であるから、細幅状の面ファスナーまた単一体の面ファスナーを作製するのに適した効果がある。
【００４３】
請求項３記載の発明は、請求項１記載の発明の効果に加え、二重織物は、接結された経緯二重織組織から形成し、熱溶融糸を表基布と裏基布との間に配したことによって、表基布と裏基布が接結された経緯二重織組織であるから、広幅状でも任意の大きさの面ファスナーを容易に作製することができる効果がある。
【００４４】
請求項４および５記載の発明は、請求項１記載の発明の効果に加え、二重織物の表基布と裏基布とを縦方向に配した接結糸で接結し、接結糸は縦方向に織り込まれる係合素子用糸間に配するか、または縦方向に一定間隔をおいて表基布と裏基布間を接結したことによって、表基布と裏基布の縦方向に織り込まれた係合素子用糸間に配した接結糸により、熱溶融糸が横ずれするのを完全に防ぎ、安定した状態で溶着し、優れた面ファスナーに仕上げることができる効果がある。
【００４５】
請求項６記載の発明は、請求項１記載の発明の効果に加え、係合素子用糸を二重織物の表基布に織り込み、表面へ係合素子が突出する形で植設したことによって、二重織物の表基布の表面に係合素子を植設した、面ファスナーを簡易に作製できる効果がある。
【００４６】
請求項７記載の発明は、請求項１記載の発明の効果に加え、係合素子用糸を二重織物の裏基布に織り込み、係合素子が表基布上へ突出する形で植設したことによって、二重織物の裏基布に係合素子用糸を織り込み、表基布の表面に係合素子を植設したから、係合素子の根元および幹部を安定した状態で固定でき頑丈な面ファスナーに仕上げることができる効果がある。
【００４７】
請求項８記載の発明は、請求項６または７記載の発明の効果に加え、係合素子用糸を二重織物の表基布と裏基布とに織り込み、係合素子がそれぞれ外向状に植設したことによって、二重織物の表基布および裏基布の表面に係合素子を植設したから、はなはだ便利な面ファスナーに仕上げることができ、しかも容易に作製でき、そのうえ係合素子を安定した状態で固定でき頑丈な面ファスナーに仕上げることができるなど、この発明の奏する効果はきわめて顕著である。
【図面の簡単な説明】
【図１】  表基布に係合素子用糸を織り込むタイプの糸の配列を平面的に示した概略図である。
【図２】  同上タイプの糸の配列を横断面的に示した概略図である。
【図３】  裏基布に係合素子用糸を織り込むタイプの糸の配列を平面的に示した概略図である。
【図４】  同上タイプの糸の配列を横断面的に示した概略図である。
【図５】  表基布と裏基布に係合素子用糸を織り込むタイプの糸の配列を横断面的に示した概略図である。
【図６】  接結された二重織物の表基布に係合素子用糸を織り込むタイプの糸の配列を平面的に示した概略図である。
【図７】  同上タイプの糸の配列を横断面的に示した概略図である。
【図８】  接結された二重織物の裏基布に係合素子用糸を織り込むタイプの糸の配列を平面的に示した概略図である。
【図９】  同上タイプの糸の配列を横断面的に示した概略図である。
【図１０】  表基布と裏基布とを接結糸で接結した状態を示す縦断面図である。
【図１１】  公知の面ファスナーの縦断面図である。
【符号の説明】
１            織物
２            経糸
３            緯糸
４            表基布
５            裏基布
６            係合素子
７            係合素子用糸
８            熱溶融糸
９            接結糸
【図１】
0003647357.tif 000002
【図２】
0003647357.tif 000003
【図３】
0003647357.tif 000004
【図４】
0003647357.tif 000005
【図５】
0003647357.tif 000006
【図６】
0003647357.tif 000007
【図７】
0003647357.tif 000008
【図８】
0003647357.tif 000009
【図９】
0003647357.tif 000010
【図１０】
0003647357.tif 000011
【図１１】
0003647357.tif 000012